(57)【要約】【課題】本発明は、必要十分な湯を散布して出入口近傍の浴室床を確実に浴室を温め、かつ出入口近傍の滑り防止性を向上させることにより、快適に入室することが可能な浴室の暖房装置を提供することを目的としている。【解決手段】上記課題を解決するために、本発明にかかる浴室の暖房装置の代表的な構成は、浴室の床面に湯水を噴出する散湯手段と、散湯手段に湯水を供給する給湯手段と、給湯手段から散湯手段へ湯水を供給または供給を停止する制御部とを備え、散湯手段は浴室の出入口近傍の床面に向かって湯水を噴出するよう設置されていることを特徴とする。【選択図】図１
2008111594.tif 000002
【特許請求の範囲】
【請求項１】
長辺が壁面に隣接される浴槽と、洗い場の水栓の下方に設置されたカウンターとを備えた浴室に用いられる暖房装置であって、
浴室の床面に湯水を噴出する散湯手段と、
前記散湯手段に湯水を供給する給湯手段と、
前記給湯手段から前記散湯手段へ湯水を供給または供給を停止する制御部とを備え、
前記散湯手段は前記浴室の床面のうち、前記浴槽と対向する壁面と、前記カウンターと対向する壁面とが交わる角部近傍の領域に向かって湯水を噴出するよう設置されていることを特徴とする浴室の暖房装置。
【請求項２】
前記散湯手段が湯水を噴出する領域は、前記浴槽と対向する壁面と、前記カウンターと対向する壁面とにそれぞれ平行な矩形領域が連続した略Ｌ字状の領域を含むことを特徴とする請求項１記載の浴室の暖房装置。
【請求項３】
前記散湯手段は、前記カウンターが設置された壁面のうち、前記浴槽と対向する壁面の近傍に配置されていることを特徴とする請求項１記載の浴室の暖房装置。
【請求項４】
前記散湯手段は、湯水を噴出する方向が、前記浴槽と対向する壁面に対してほぼ平行となるように設置されていることを特徴とする請求項１記載の浴室の暖房装置。
【請求項５】
長辺が壁面に隣接される浴槽と、
洗い場の水栓の下方に設置されたカウンターと、
浴室の床面に湯水を噴出する散湯手段と、
前記散湯手段に湯水を供給または供給を停止する給湯手段と、
浴室に出入りするための出入口とを備え、
前記散湯手段は前記カウンターが設置された壁面のうち、前記浴槽と対向する壁面の近傍に配置され、前記浴室の床面のうち、前記浴槽と対向する壁面と、前記カウンターと対向する壁面とが交わる角部近傍の領域に向かって湯水を噴出することを特徴とする浴室。
【請求項６】
少なくとも前記出入口近傍の床面に溝で区切られた多数の隆起部を形成し、隆起部の上面に上部平面部、溝に下部平面部を備え、
前記上部平面部の最短直線部を含む断面について、
前記上部平面部から下部平面部までの深さを０．１４ｍｍ〜０．４ｍｍ、
前記下部平面部と上位平面部との間の傾斜の角度を２０°〜７０°、
隣接する前記上部平面部間の距離を０．７ｍｍ〜１．９ｍｍ、
前記下部平面部の幅を０．２ｍｍ〜１．７ｍｍとし、
前記上部平面部は平面形状において角を丸く形成していることを特徴とする請求項５記載の浴室。
【請求項７】
前記上部平面部に微細凹凸を設け、
前記微細凹凸は、算術平均粗さＲａが０．４μｍ〜５．０μｍ、算術平均傾斜△ａが６°以上であることを特徴とする請求項６記載の浴室。
【発明の詳細な説明】
【技術分野】
【０００１】
本発明は浴室の暖房装置および浴室に関し、特に湯水を噴出して暖房を行う構成に関するものである。
【背景技術】
【０００２】
浴室は通常の室内暖房が行き届く範囲ではなく、まして脱衣して入る場所であるから寒さを感じやすいため、冬期ともなれば入ることを躊躇するものである。そのため快適な入浴を実現するために浴室を入浴前に温める要請があるが、結露が著しい場所であるため空調機の設置は難しい。そのため、従来から湯を散布することによって浴室を暖房するための様々な提案がなされている。
【０００３】
例えば特開昭６０−２２３９２３号（特許文献１）には、浴室の壁部の下部に、浴室の床上面に湯を散布するための散湯ノズルを設けた暖房装置が開示されている。また実開昭６１−１０６８２１号（特許文献２）には、体を洗うシャワーの他に散湯用のノズルを浴室の壁面の高所に設けた構成が開示されている。
【特許文献１】特開昭６０−２２３９２３号公報
【特許文献２】実開昭６１−１０６８２１号公報
【発明の開示】
【発明が解決しようとする課題】
【０００４】
しかし発明者らは、さらに快適な浴室の暖房を鋭意検討した結果、浴室の暖房において肝腎なのは浴室に入ったときの１歩目の感触であることに着目した。それはすなわち出入口近傍の床面を温めることであって、上記従来の構成にあっては、必ずしも出入口近傍を温めることに適していない。すなわち従来の散湯用ノズルは、床面に対する高さや角度は様々に検討されているものの、出入口との関係においては検討されていない。また浴室の配管の構造上の問題から散湯用ノズルは水栓（カラン）の近傍に配置される場合が多く、それ以外の場所に設置すること自体が検討されにくいものであった。
【０００５】
なお、特許文献２の構成のように浴室全体に広く散湯する構成にあっては、十分な湯量を散湯すれば、出入口近傍も温められることはもちろんである。しかし、出入口近傍を集中的に温めれば済むところ、浴室全体が十分に温まるほどに散湯するためには大量の湯が必要となり、効率が悪いという問題がある。
【０００６】
また本件出願人は、特開２００６−９５１３号に示されるように、浴室床の表面を特定の形状とすることによって、濡れればさらに滑りにくい浴室床について特許出願を行っている。当該技術を併用すれば、散湯により温めること以上の作用効果を得ることができる。
【０００７】
そこで本発明は、必要十分な湯を散布して出入口近傍の浴室床を確実に浴室を温め、かつ出入口近傍の滑り防止性を向上させることにより、快適に入室することが可能な浴室の暖房装置を提供することを目的としている。
【課題を解決するための手段】
【０００８】
上記課題を解決するために、本発明にかかる浴室の暖房装置の代表的な構成は、長辺が壁面に隣接される浴槽と、洗い場の水栓の下方に設置されたカウンターとを備えた浴室に用いられる暖房装置であって、浴室の床面に湯水を噴出する散湯手段と、散湯手段に湯水を供給する給湯手段と、給湯手段から散湯手段へ湯水を供給または供給を停止する制御部とを備え、散湯手段は浴室の床面のうち、浴槽と対向する壁面と、カウンターと対向する壁面とが交わる角部近傍の領域に向かって湯水を噴出するよう設置されていることを特徴とする。散湯手段が湯水を噴出する領域は、浴槽と対向する壁面と、カウンターと対向する壁面とにそれぞれ平行な矩形領域が連続した略Ｌ字状の領域を含むことが好ましい。上記構成によれば、出入口近傍を集中的に温めることができるため、浴室に入ったときの１歩目の感触を暖かくすることができ、効率的に快適さを得ることができる。
【０００９】
散湯手段は、カウンターが設置された壁面のうち、浴槽と対向する壁面の近傍に配置されていることが好ましい。これにより、噴出した湯水が冷める前に着床し、少ない損失で床面を温めることができる。
【００１０】
散湯手段は、湯水を噴出する方向が、浴槽と対向する壁面に対してほぼ平行方向となるように設置されていることが好ましい。これにより、不用意に出入口を開いた場合であっても、脱衣所に湯水が散逸することを防止することができる。
【００１１】
上記課題を解決するために、本発明にかかる浴室の代表的な構成は、長辺が壁面に隣接される浴槽と、洗い場の水栓の下方に設置されたカウンターと、浴室の床面に湯水を噴出する散湯手段と、散湯手段に湯水を供給または供給を停止する給湯手段と、浴室に出入りするための出入口とを備え、散湯手段はカウンターが設置された壁面のうち、浴槽と対向する壁面の近傍に配置され、浴室の床面のうち、浴槽と対向する壁面と、カウンターと対向する壁面とが交わる角部近傍の領域に向かって湯水を噴出することを特徴とする。上記構成によれば、出入口近傍を集中的に温めることができるため、浴室に入ったときの１歩目の感触を暖かくすることができ、効率的に快適さを得ることができる。
【００１２】
また、少なくとも出入口近傍の床面に溝で区切られた多数の隆起部を形成し、隆起部の上面に上部平面部、溝に下部平面部を備え、上部平面部の最短直線部を含む断面について、上部平面部から下部平面部までの深さは０．１４ｍｍ〜０．４ｍｍ、さらには０．２ｍｍ〜０．３ｍｍであることが好ましい。下部平面部と上位平面部との間の傾斜の角度は２０°〜７０°、さらには３０°〜６５°であることが好ましい。隣接する上部平面部間の距離は０．７ｍｍ〜１．９ｍｍ、さらには０．８ｍｍ〜１．６ｍｍであることが好ましい。下部平面部の幅は０．２ｍｍ〜１．７ｍｍ、さらには０．２５ｍｍ〜１．５ｍｍであることが好ましい。上部平面部は平面形状において角を丸く形成していることが好ましい。これにより、出入口近傍の滑り防止性を向上させ、さらに安全かつ快適に入室することができる。
【００１３】
さらに上部平面部に微細凹凸を設け、微細凹凸は、算術平均粗さＲａは０．４μｍ〜５．０μｍ、さらには０．５〜３．０μｍであることが好ましい。算術平均傾斜△ａは６°以上、さらには６．３°以上であることが好ましい。これにより、滑り防止性をさらに向上させることができる。
【発明の効果】
【００１４】
本発明によれば、必要十分な湯を散布して出入口近傍の浴室床を確実に浴室を温め、快適に入室することが可能な浴室の暖房装置を提供することができる。
【発明を実施するための最良の形態】
【００１５】
［第１実施例］
本発明にかかる浴室の暖房装置の第１実施例について説明する。図１は第１実施例にかかる浴室および暖房装置の構成を説明する図、図２は暖房装置のノズル近傍を説明する図、図３はノズルの他の配置構成の例を説明する図である。なお、以下の実施例に示す寸法、材料、その他具体的な数値などは、発明の理解を容易とするための例示に過ぎず、特に断る場合を除き、本発明を限定するものではない。
【００１６】
図１に示すように、浴室１０には、浴槽１１、洗い場である床面１２、水栓であるカラン１３およびシャワー１４、カラン１３の下方に設置されたカウンター１５、手摺りの例としてのサポートバー１７が備えられている。浴槽１１は、その長辺が壁面２３に隣接して設置されている。また浴槽１１の両側の短辺は、壁面２４、２５に隣接して設置されている。カウンター１５は、浴槽１１の一方の短辺が接する壁面２４に、浴槽１１と隣接するように設置されている。カウンター１５は洗面器などを載置するための台であって、その上面は膝下程度の高さになっている。カウンター１５の前面は壁面よりも浴室中央部に向かって突出した位置に配置され、カウンター１５の下部は壁面に向かって後退している。
【００１７】
浴室の暖房装置は、浴室の天井裏に配置された制御部２０、カウンター１５の内部に配置された散湯ユニット２１（図２参照）、浴室の外部に配置されたコントロールユニット２２によって構成される。使用者はコントロールユニット２２を操作することによって制御部２０を動作させる。制御部２０は散湯ユニット２１を制御して、所定の暖房処理を行う。
【００１８】
図２に示すように、散湯ユニット２１は給湯手段の例としての給湯管１６ａおよび給水管１６ｂが接続された温度制御部３４、温度制御部３４に接続された電磁弁２８、湯水を噴出する散湯手段の例としてのノズル２７を備えている。制御部２０が温度制御部３４、電磁弁２８を制御することにより、給湯管１６ａおよび給水管１６ｂから湯水が混合して供給され、ノズル２７から噴出、または噴出を停止される。
【００１９】
ノズル２７は、図１に示したように、カウンター１５の前面かつ上方に設けられている。上方とはカウンター１５の天面近傍を意味しており、カウンター１５の前面の高さ（上下幅）がノズル２７の高さと大差ない場合には、単にカウンター１５の前面にノズルを設けることでよい。
【００２０】
またノズル２７（散湯ユニット２１）は、カウンター１５が設置された壁面２４のうち、浴槽１１と対向する壁面２６の近傍に配置されている。言い換えると、カウンター１５の左右方向において、浴槽１１から離れた側の端部近傍に配置している。一方、浴室１０への出入口１０ａに設置された扉１９は浴槽１１と対向する壁面２６にある。すなわちノズル２７は扉１９の近傍に配置されており、ノズル２７は扉１９近傍の床面１２に対して湯水を噴出するよう設置されている。またノズル２７は、出入口１０ａが備えられた壁面２６（浴槽と対向する壁面）に対して、ほぼ平行方向に湯水を噴出するように設置されている。
【００２１】
そしてノズル２７からは、浴室の床面１２のうち、浴槽１１と対向する壁面２６と、カウンター１５と対向する壁面２５とが交わる角部近傍の領域に向かって湯水を噴出する。このとき、ノズル２７が湯水を噴出する領域は、壁面２５、２６にそれぞれ平行な矩形領域が連続した略Ｌ字状の領域（図の斜線部分）を少なくとも含むことが好ましい。略Ｌ字状の領域の大きさは、例えば出入口１０ａの大きさと同程度かそれ以上に設定することができる。これにより、図に示すように浴槽１１と対向する壁面２６に出入口１０ａが備えられている場合はもちろん、カウンター１５と対向する壁面２５に出入口が備えられている場合（不図示）にも、床面１２の出入口近傍に散湯することができる。
【００２２】
ノズル２７から角部近傍に散湯された湯水は、床面１２全体に拡散してこれを温めることができる。散湯する際の湯水の落下地点は、床面１２の縁から１０センチ程度手前であることが好ましい。これ以上縁に近い位置に落下させると、跳ね返った水が扉１９の下部を常に濡らすことになるおそれがあり、また使用者が散湯中に不用意に扉１９を開いた際に脱衣所に湯水が撒かれてしまうおそれがあるからである。なお、１０センチ程度であれば、落下した湯水はその勢いによって回り込み、床面１２の縁まで十分に到達することができる。
【００２３】
上記構成によれば、出入口１０ａ近傍を集中的に温めることができるため、浴室１０に入ったときの１歩目の感触を暖かくすることができ、効率的に快適さを得ることができる。またノズル２７を浴槽１１と対向する壁面２６近傍に配置していることから、温めるべき出入口１０ａの近傍にノズル２７があり、噴出した湯水が冷める前に着床し、少ない損失で床面を温めることができる。さらに、噴出する方向が壁面２６と平行であって出入口１０ａの外側に向いていないため、散湯中に使用者が不用意に出入口１０ａを開いた場合であっても、脱衣所に湯水が散逸することを防止することができる。
【００２４】
また、カウンター１５はカラン１３の直下にあるため、散湯ユニット２１に湯水を供給する給湯管１６ａ、給水管１６ｂはカラン１３に湯水を供給する配管を分岐、延長して形成でき、配管部材を短くすることができる。またカウンター内の散湯ユニット２１とカラン１３との位置関係は変動しないため、配管部材の共通化を図ることができ、部品コストおよび設置コストを抑えることができる。
【００２５】
なお、ノズル２７の配置位置については、上記のカウンター１５前面の他にも、様々な位置に設定することができる。図３は、サポートバー１７にノズル２７を設けた例を示している。なおサポートバー１７は使用者が立ち上がるとき、または浴室内を移動する際に手摺りとして使用されるものである。ノズル２９は、サポートバー１７のうち浴槽１１と反対側、すなわち浴槽１１と対向する壁面２６の近傍に配置している。ノズル２９に湯水を供給する給湯管１６は、サポートバー１７の内部を通じて配管されている。
【００２６】
［第２実施例］
本発明にかかる浴室の暖房装置および浴室の第２実施例について説明する。本実施例は、床面１２の少なくとも出入口近傍に、多数の隆起部を設けた例を説明する。隆起部は立体的な地模様であって、本件出願人はこの隆起部について特開２００６−９５１０、特開２００６−９５１３、特開２００６−４６０３２において既に出願している。従って製造方法や試験装置などは先願の記載を引用することとし、本願では詳細を省略する。
【００２７】
図４は第２実施例にかかる浴室の床面の拡大図、図５はすべり抵抗係数と比較感応試験を説明する図である。上記第１実施例と説明の重複する部分については同一の符号を付して説明を省略する。
【００２８】
図４（ａ）は床面の部分拡大平面図である。図４（ａ）に示すように、浴室１０の床面１２には、溝４０によって区切られた多数の隆起部４１を形成している。隆起部４１は各々が孤立しているが、溝４０は連続している。隆起部４１は平面形状において長方形の角を丸く形成した楕円形状であって、各々が独立して形成され、交互に位置をずらした千鳥状に配置されている。
【００２９】
図４（ｂ）は図４（ａ）のＡ−Ａ断面図であって、隆起部４１の最短直線部を含む断面である。図４（ｂ）に示すように、隆起部の上面には上部平面部４２を備え、溝４０には下部平面部４３を備えている。上部平面部４２および下部平面部４３の断面は直線状となっている。上部平面部４２と下部平面部４３との間には、傾斜部４４が形成されている。傾斜部４４は、すなわち隆起部４１の側面であって、上部平面部４２の周辺を構成している。
【００３０】
なお傾斜部４４の断面は直線状であるが、製造上の都合により傾斜部４４と下部平面部４３との間には第１中間部４４ａが形成されており、曲率半径Ｒ１の略円弧状となっている。同様に傾斜部４４と上部平面部４２との間には第２中間部４４ｂが形成されており、曲率半径Ｒ２の略円弧状となっている。ただし本実施例においては、説明の簡便のため、下部平面部４３と傾斜部４４の延長線の交点間を「下部平面部の幅ｗ１」とし、上部平面部４２と傾斜部４４の延長線の交点間を「隣接する上部平面部間の距離ｗ２」とする。
【００３１】
上部平面部から下部平面部までの深さｄは、０．１４〜０．４ｍｍ、さらには０．２ｍｍ〜０．３ｍｍであることが好ましい。溝の深さが０．４ｍｍよりも深いと、足裏との接触面積が少ないため滑りやすくなり、また溝部に汚れやカビが残りやすくなるためである。一方、０．１４ｍｍよりも浅いと、濡れた状態で床面の水の被膜が切れないために、滑り防止性が低下してしまうためである。従って深さｄを上記範囲とすることにより、床面と足裏との接触面積を確保することができ、また水に濡れた状態でもエッジ効果が得られるため、高い滑り防止性を得ることができる。また清掃性がよく、自然乾燥が早いという効果も有している。
【００３２】
傾斜部４４の角度αは２０°〜７０°、さらには３０°〜６５°であることが好ましい。角度αを２０°以上とすることにより、水が傾斜部４４と下部平面部４３のなす角部をつたって毛細管現象によって広がるため、表面張力によって寄り集まることなく、床面に薄く広く拡散する。このためすばやく自然乾燥することができ、乾燥性を向上させることができる。一方、角度αが７０°よりも急峻となると、角部に汚れやカビが残りやすくなるため、清掃性が低下してしまう。すなわち、傾斜部４４の角度を上記範囲とすることにより、水がすばやく床面に広がり、局所的に水が残ることがほとんどないため、乾燥性がよい。また、掃除もしやすい。
【００３３】
隣接する上部平面部間の距離ｗ２は０．７ｍｍ〜１．９ｍｍ、さらには０．８ｍｍ〜１．６ｍｍであることが好ましい。上記範囲とすることにより水がすばやく床面に広がり、しかも溝の深さｄを上記範囲としたことと相まって、水が蒸発しやすく、自然乾燥が早い。
【００３４】
下部平面部の幅ｗ１は０．２ｍｍ〜１．７ｍｍ、さらには０．２５ｍｍ〜１．５ｍｍであることが好ましい。０．２ｍｍ以下では溝の断面積が小さすぎて水はけ性が悪くなるため好ましくなく、１．７ｍｍ以上では水膜が切れて寄り集まってしまうために水はけ性（濡れ性）が悪くなるためである。
【００３５】
上部平面部４２は平面形状において角を丸く形成していることが好ましく、本実施例では楕円形に形成している。角を丸くすることにより、水が傾斜部４４と下部平面部４３のなす角部をつたって回り込むことができ、すばやく拡散することが可能だからである。従って楕円形の他にも、円形や、角の丸い略多角形などであってもよい。
【００３６】
上部平面部４２および下部平面部４３には、摩擦係数を向上させるために所定の粗さを有する微細凹凸が形成されている。上部平面部４２の算術平均粗さＲａは０．４μｍ〜５．０μｍ、さらには０．５〜３．０μｍであることが好ましい。上記範囲とすることにより、上部平面部４２上に付着した水の表面張力を破壊し、水滴が形成されることを防止することができる。また素足で歩いたときのすべり抵抗を大きくすることができる。
【００３７】
また上部平面部４２の微細凹凸の算術平均傾斜△ａは６°以上、さらには６．３°以上であることが好ましい。算術平均傾斜△ａを上記範囲とすることにより、十分なすべり抵抗係数ＣＳＲ・Ｂ（Coefficient of Slip Resistance・Bathroom）を得ることができるためである。なおＣＳＲ・Ｂは、測定用の滑動体を測定装置で引いて滑らせたときの、引張最大荷重を鉛直荷重で除した値と引張最小荷重を鉛直荷重で除した値の和として算出することができる。
【００３８】
図５（ａ）は、すべり抵抗係数ＣＳＲ・Ｂとすべり評価尺度の関係を示す図である。図に示すように、ＣＳＲ・Ｂが０．８以上であると滑りにくくなり、安全であることがわかる。
【００３９】
実施例にかかる浴室床と比較例の浴室床について、乾いた状態と濡れた状態で２０人に素足で浴室床を歩いてもらい、比較感応的試験を行った。なお比較例としては、下部平面部の幅ｗ１または隣接する上部平面部間の距離ｗ２が上記範囲にないものを用いた。試験結果を図５（ｂ）に示す。実施例材では上記構成の隆起部４１が形成されていることにより、水が床表面にあると、毛細管現象や水の表面張力作用により床方向（足の裏が吸い付く方向）に力が働くと考えられる。その結果として、滑りにくさが体感されると考えられる。
【００４０】
すなわち本実施例の構成によれば、散湯手段を浴室の出入口近傍の床面に向かって湯水を噴出するよう設置し、かつ少なくとも出入口近傍の床面に上記構成の多数の隆起部４１を形成したことにより、出入口近傍の滑り防止性を向上させ、さらに安全かつ快適に入室することができる。
【００４１】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４２】
本発明は湯水を噴出して暖房を行う浴室の暖房装置および浴室として利用することができる。
【図面の簡単な説明】
【００４３】
【図１】第１実施例にかかる浴室および暖房装置の構成を説明する図である。
【図２】暖房装置のノズル近傍を説明する図である。
【図３】ノズルの他の配置構成の例を説明する図である。
【図４】第２実施例にかかる浴室の床面の拡大図である。
【図５】すべり抵抗係数と比較感応試験を説明する図である。
【符号の説明】
【００４４】
１０   …浴室
１０ａ  …出入口
１１   …浴槽
１２   …床面
１３   …カラン
１４   …シャワー
１５   …カウンター
１６ａ  …給湯管
１６ｂ  …給水管
１７   …サポートバー
１８   …浴室壁面
１９   …扉
２０   …制御部
２１   …散湯ユニット
２２   …コントロールユニット
２７   …ノズル
２８  …電磁弁
３１   …エプロン
３４   …温度制御部
４０   …溝
４１   …隆起部
４２   …上部平面部
４３   …下部平面部
４４   …傾斜部
４４ａ  …第１中間部
４４ｂ  …第２中間部
【図１】
2008111594.tif 000003
【図２】
2008111594.tif 000004
【図３】
2008111594.tif 000005
【図４】
2008111594.tif 000006
【図５】
2008111594.tif 000007